(57)【要約】【課題】  異物や外部雰囲気の影響を少なくし接点信頼性を向上できると共に、操作時のフィーリングが良好なスイッチ装置を提供する。【解決手段】  ＡＣインレット部７ｃを有するハウジング１、７と、回転板５に設けられた駆動カム５ｃに連動してＡＣインレット部７ｃの接点の切り換えを行う電源スイッチ部と、回転板５の回転に伴ってコード出力を行うエンコーダ部とを備え、電源スイッチ部は、ハウジング１、７内に配設され駆動カム５ｃにより傾動される導体板６と、ＡＣインレット部７ｃに設けられたＡＣ入力端子８に固着され導体板６の接点６ｅと接離する固定接点８ａとからなり、エンコーダ部は、回転板５に設けられたコードパターン４ｂと、ハウジング１、７に設けられ回転板５の回転によりコードパターン４ｂと摺接する摺動子３からなり、電源スイッチ部とエンコーダ部をハウジング１、７に一体に収納した。【選択図】        図１
2006260840.tif 000002
【特許請求の範囲】
【請求項１】
ＡＣインレット部を有するハウジングと、このハウジング内に回転可能に配設された回転板と、この回転板に設けられた駆動カムに連動して前記ＡＣインレット部の接点の切り換えを行う電源スイッチ部と、前記回転板の回転に伴ってコード出力を行うエンコーダ部とを備え、前記電源スイッチ部は、前記ハウジング内に配設され前記駆動カムにより傾動される導体板と、前記ＡＣインレット部に設けられたＡＣ入力端子に固着され前記導体板の接点と接離する固定接点とからなり、前記エンコーダ部は、前記回転板に設けられたコードパターンと、前記ハウジングに設けられ前記回転板の回転により前記コードパターンと摺接する摺動子からなり、前記電源スイッチ部と前記エンコーダ部を前記ハウジングに一体に収納したことを特徴とするスイッチ装置。
【請求項２】
前記回転板の上面に前記駆動カムを設けると共に、前記回転板の下面には前記コードパターンを有するコード基板を設け、前記駆動カムに前記導体板を対向させて前記回転板の上方に前記電源スイッチ部を配置すると共に、前記コード基板に前記摺動子を有するウエハーを対向させて前記回転板の下方に前記エンコーダ部を配置したことを特徴とする請求項１記載のスイッチ装置。
【請求項３】
前記回転板の上面に、前記駆動カムと並設して凹凸状のクリックカムを形成し、前記ハウジングには、前記回転板の回転に伴って前記クリックカムと摺動してクリック感を生起する駆動部材を設けたことを特徴とする請求項１、又は２記載のスイッチ装置。
【発明の詳細な説明】
【技術分野】
【０００１】
本発明は、スイッチ装置に係り、特に洗濯機等の操作用スイッチとして使用される電源スイッチとコードスイッチが一体になったロータリー型のスイッチ装置に関する。
【背景技術】
【０００２】
従来のロータリー型のスイッチ装置としては、回転板の両側に電源スイッチとコードスイッチの接点部を配置して、コード出力用の接点が回転板のカム山に連動して切り換わるバット接点構造となったスイッチ装置が知られている（例えば、特許文献１参照）。
この従来のロータリー型のスイッチ装置の構造を図４に示す。図４は従来のロータリー型のスイッチ装置の一部を破断した状態を示す要部斜視図である。
【０００３】
図において、従来のロータリー型のスイッチ装置は、合成樹脂製の箱状のボディ５１と、このボディ５１内に回転可能に収容された合成樹脂製の操作軸５５を有する円盤状の冠歯車５９（回転板）と、導電性の金属板からなり冠歯車５９の回転により開閉される複数の（固定側）接点５２及び（可動側）マルチ電気接点５３、５３’、５４で構成された小電流側電気回路（コードスイッチ部）と、同じく導電性の金属板からなり複数の（固定側）接点５７及び（可動側）動力回路接点６３、６３’で構成された大電流側電源回路（電源スイッチ部）と、動力回路接点６３、６３’と一体に形成され冠歯車５９の回転時の位置決めを行うばね機関６２、６２’と、ボディ５１の上面側に嵌着された合成樹脂製のカバー５８とから構成されている。
【０００４】
冠歯車５９は、操作軸５５が回転操作可能なようにボディ５１とカバー５８とに挟持されて配設されている。また、冠歯車５９の下方側に小電流側電気回路を構成する固定側接点５２及び可動側マルチ電気接点５３、５３’、５４が配置されている。冠歯車５９の下面側には、それぞれ長さの異なる複数の円弧状のカム（図示せず）が設けられており、冠歯車５９が回転することにより該カムとマルチ電気接点５３、５３’が適宜係合して固定側接点５２との開閉（コード出力）を行うものとなっている。
【０００５】
また、冠歯車５９の上方側に大電流側電源回路を構成する固定側接点５７及び可動側電力回路接点６３、６３’が配置されている。また、冠歯車５９の上面側には、２列の円形カム６０、６０’が設けられており、冠歯車５９が回転することにより該円形カム６０、６０’と電力回路接点６３、６３’が係合して固定側接点５７との開閉（電源オン／オフ）を行うものとなっている。
【０００６】
この時、動力回路接点６３、６３’と一体に形成されたばね機関６２、６２’が、冠歯車５９の上面側の円形カム６０、６０’の外周に形成された凹凸状の位置決め用のカムと係合することにより回転時の位置決め（及び節度感）が得られるものとなっている。
【０００７】
すなわち、従来のロータリー型のスイッチ装置の構成は、操作軸５５と一体に回転可能に配設された冠歯車５９（回転板）の両側（上下）に大電流側電源回路（電源スイッチ部）と小電流側電気回路（コードスイッチ部）とを対向させて配置した構成となっている。そして、小電流側電気回路は冠歯車５９の下面側に形成された複数の円弧状のカム（図示せず）によって個々の可動側マルチ電気接点５３、５３’、５４を適宜ピアノ式に押圧して固定側接点５２とオン／オフさせるバット接点構造となっている。
【０００８】
【特許文献１】伊国特許出願公開第ＭＩ２００１Ａ００１２７５号公報
【発明の開示】
【発明が解決しようとする課題】
【０００９】
しかしながら、上述した従来のロータリー型のスイッチ装置においては、コード出力用の小電流側電気回路はバット接点構造となっているため、接点部が塵埃や異物等の侵入で接触不良になり易く、接触信頼性に問題があった。また、小電流側電気回路がバット接点構造のため、切り換え時に操作荷重変化が発生し操作時のフィーリングが悪いという問題があった。
【００１０】
従って、本発明は上記した問題点を解決し、異物や外部雰囲気の影響を少なくし接点信頼性を向上できると共に、操作時のフィーリングが良好なスイッチ装置を提供することを目的とする。
【課題を解決するための手段】
【００１１】
上記課題を解決するために本発明では第１の解決手段として、ＡＣインレット部を有するハウジングと、このハウジング内に回転可能に配設された回転板と、この回転板に設けられた駆動カムに連動して前記ＡＣインレット部の接点の切り換えを行う電源スイッチ部と、前記回転板の回転に伴ってコード出力を行うエンコーダ部とを備え、前記電源スイッチ部は、前記ハウジング内に配設され前記駆動カムにより傾動される導体板と、前記ＡＣインレット部に設けられたＡＣ入力端子に固着され前記導体板の接点と接離する固定接点とからなり、前記エンコーダ部は、前記回転板に設けられたコードパターンと、前記ハウジングに設けられ前記回転板の回転により前記コードパターンと摺接する摺動子からなり、前記電源スイッチ部と前記エンコーダ部を前記ハウジングに一体に収納した構成とした。
【００１２】
また、第２の解決手段として、前記回転板の上面に前記駆動カムを設けると共に、前記回転板の下面には前記コードパターンを有するコード基板を設け、前記駆動カムに前記導体板を対向させて前記回転板の上方に前記電源スイッチ部を配置すると共に、前記コード基板に前記摺動子を有するウエハーを対向させて前記回転板の下方に前記エンコーダ部を配置した構成とした。
また、第３の解決手段として、前記回転板の上面に、前記駆動カムと並設して凹凸状のクリックカムを形成し、前記ハウジングには、前記回転板の回転に伴って前記クリックカムと摺動してクリック感を生起する駆動部材を設けた構成とした。
【発明の効果】
【００１３】
上述したように、本発明のスイッチ装置は、ＡＣインレット部を有するハウジングと、ハウジング内に回転可能に配設された回転板と、回転板に設けられた駆動カムに連動してＡＣインレット部の接点の切り換えを行う電源スイッチ部と、回転板の回転に伴ってコード出力を行うエンコーダ部とを備え、電源スイッチ部は、ハウジング内に配設され駆動カムにより傾動される導体板と、ＡＣインレット部に設けられたＡＣ入力端子に固着され導体板の接点と接離する固定接点とからなり、エンコーダ部は、回転板に設けられたコードパターンと、ハウジングに設けられ回転板の回転によりコードパターンと摺接する摺動子からなり、電源スイッチ部とエンコーダ部をハウジングに一体に収納したことから、コード出力用のエンコーダ部を回転板に設けられた摺動接点であるコードパターンと、このコードパターンと摺接する摺動子で構成したので、従来のバット接点構造のものに比べて異物や外部雰囲気の影響を少なくし接点信頼性が向上する。また、摺動接点構造のため操作時のフィーリングが良好となる。
【００１４】
また、回転板の上面に駆動カムを設けると共に、回転板の下面にはコードパターンを有するコード基板を設け、駆動カムに導体板を対向させて回転板の上方に電源スイッチ部を配置すると共に、コード基板に摺動子を有するウエハーを対向させて回転板の下方にエンコーダ部を配置したことから、コード基板のコードパターンを種々変更することによりエンコーダ部のコード出力のバラエティー対応が可能であると共に、バット接点構造に比べて摺動接点構造のためスイッチ装置の薄型化、小型化が図れる。
また、回転板の上面に、駆動カムと並設して凹凸状のクリックカムを形成し、ハウジングには、回転板の回転に伴ってクリックカムと摺動してクリック感を生起する駆動部材を設けたことから、簡単な構造で回転時のクリック感を得ることができる。また、摺動接点構造を採用したことにより、コード切り換え時に接点開閉のための操作荷重の変化が生じないため、必要に応じてクリック感無しのスイッチ装置の対応が可能となる。
【発明を実施するための最良の形態】
【００１５】
以下、本発明の実施の形態を図１乃至図３に示す。図１は本発明のスイッチ装置を示す分解斜視図、図２は本発明のスイッチ装置を示す組立斜視図、図３は本発明のスイッチ装置の内部構造を示す要部断面図である。
【００１６】
図において、ケース１は、合成樹脂等の絶縁材からなり、上面が開口された収納部１ａを有する矩形状の箱型に形成されている。このケース１の収納部１ａの内底部中央には、後述する回転板５の回転軸５ｂが挿通されて回転可能に保持される軸受孔１ｂが設けられており、また、一つの内側部には、後述する導体板６の基部６ａが挿入され保持される保持溝部１ｃが設けられている。また、ケース１の外側板部には、後述するカバー７の係止片７ｅと係合する複数の係合突起１ｄが設けられている。
【００１７】
ウエハー２は、同じく合成樹脂等の絶縁材からなり、外形が略Ｈ字状に形成されており、中央には回転板５の回転軸５ｂが挿通される貫通孔２ａが設けられている。この貫通孔２ａを挟んで両側には一対の切欠部２ｂが設けられており、この切欠部２ｂには複数の摺動子３が配設されている。この摺動子３は、弾性を有する導電性の薄板金属板からなり、インサート成形等の方法でウエハー２に一体に埋設されている。この摺動子３の一端側は、切欠部２ｂの上面側に屈曲して配設され接点部３ａを形成しており、他端側はウエハー２の一端側から導出されて下方へ延出されコード出力端子３ｂを形成している。
【００１８】
前記ウエハー２は、前記ケース１の収納部１ａ内に収納され、軸受孔１ｂに貫通孔２ａが対向されると共に、コード出力端子３ｂがケース１の底面部に設けられた端子穴１ｅに挿入されて底面側に突出されて配設されるものとなっている。また、ウエハー２の側面部にはケース１の内側部に設けられたガイド柱１ｆ等（一部図示せず）と係合して位置決めされる複数のガイド溝２ｃが形成されている。
【００１９】
コード基板４は、合成樹脂等の絶縁材で略円板状に形成されており、中央には回転板５の回転軸５ｂが挿通される貫通孔４ａが設けられている。また、コード基板４の一面側には、貫通孔４ａの周囲に沿って円弧状に配設された複数のコードパターン４ｂが設けられている。このコードパターン４ｂは、導電性の金属板を一部表面に表出して、インサート成形等の方法でコード基板４に一体に埋設して形成されている。尚、コードパターン４ｂの形成方法としては、上記に限らず、コード基板４の表面に銀やカーボン等の導電性のインクを印刷などの方法で形成するようにしても良い。このコードパターン４ｂとウエハー２に設けられた摺動子３の接点部３ａが摺接してコード出力されるものとなっている。
【００２０】
回転板５は、同じく合成樹脂等の絶縁材からなり、円板状の基盤部５ａと、この基盤部５ａの中央に上下に突出した円柱状の回転軸５ｂとを有している。また、基盤部５ａの上面側には、同心円上に突出して形成された２列の円環状の駆動カム５ｃ、５ｃが設けられており、これら駆動カム５ｃ、５ｃの円環状の一部には回転軸５ｂの軸心を挟んで対向する位置にＶ字状に切り欠いた凹部５ｄ、５ｄが形成されている。これら駆動カム５ｃ、５ｃにより後述する導体板６の可動片部６ｂが傾動されて電源スイッチ部の接点の切り換えを行うものとなっている。
【００２１】
また、基盤部５ａの上面側には、前記駆動カム５ｃ、５ｃの外周部に並設して円環状に凹凸状のクリックカム５ｅが設けられている。そして、回転板５の回転時には、このクリックカム５ｅが後述するカバー７に配設された駆動部材１０と摺動してクリック感を生起させるものとなっている。また、回転板５の下面側には、前記コード基板４が配設されており、貫通孔４ａに回転軸５ｂ下側が挿通されてコードパターン４ｂが設けられた一面側が下面側となるように取り付けられている。そして、回転板５が回転する際には、この回転に伴ってコード基板４も共回りするものとなっている。
【００２２】
前記回転板５は、前記ケース１の収納部１ａ内に収納され、基盤部５ａの下面側に配設されたコード基板４のコードパターン４ｂと、前記ウエハー２に設けられた摺動子３の接点部３ａとが対向された状態で、回転軸５ｂの下面側がケース１の軸受孔１ｂに回転可能に挿通されている。これら前記回転板５に設けられたコードパターン４ｂと、前記ケース１に設けられ前記回転板５の回転により前記コードパターン４ｂと摺接する摺動子３とから、コード出力を行うエンコーダ部が構成されている。
【００２３】
導体板６は、弾性を有する導電性の金属板からなり、一端側に内部基板接続用ＡＣ出力端子６ｃが設けられた基部６ａと、この基部６ａの他端側に連設され略Ｌ字状に延びる可動片部６ｂとを有している。また、可動片部６ｂの略中央部には、板面の上下方向へ突出する駆動突起６ｄが設けられ、さらに先端側には銀等の金属チップ等からなる接点６ｅが固着されている。この導体板６は、前記ケース１の収納部１ａに設けられた保持溝部１ｃに基部６ａが挿入され、内部基板接続用ＡＣ出力端子６ｃがケース１外方へ延出されると共に、可動片部６ｂの下面側に突出した駆動突起６ｄと前記回転板５の基盤部５ａの上面側に設けられた円環状の駆動カム５ｃ、５ｃとが対向した状態で保持されている。
【００２４】
前記導体板６は、回転板５の非操作時の初期状態では、可動片部６ｂの下面側の駆動突起６ｄが駆動カム５ｃの一部に設けられた凹部５ｄに嵌入されて、先端側の接点６ｅが後述するＡＣ入力端子８に固着された固定接点８ａとは離間して回路はオフ状態となっている。そして、回転板５の回転に伴って、下面側の駆動突起６ｄが駆動カム５ｃの上面に乗り上げることにより、前記可動片部６ｂが傾動されて接点６ｅが上方に対向して配設された固定接点８ａと接触して回路がオン状態になるものとなっている。これら前記ケース１内に配設され前記駆動カム５ｃにより傾動される導体板６と、ＡＣインレット部に設けられたＡＣ入力端子８に固着された固定接点８ａとから、ＡＣインレット部の接点の切り換えを行う電源スイッチ部が構成されている。
【００２５】
カバー７は、合成樹脂等の絶縁材からなり、下面側が開口された矩形状の箱型に形成されている。このカバー７の上板部７ａの中央には軸孔７ｂが設けられており、この軸孔７ｂを挟んで上板部７ａの上面側には略矩形状の突壁部で囲まれた一対のＡＣインレット部７ｃとＡＣアウトレット部７ｄとがそれぞれ設けられている。また、ＡＣインレット部７ｃには、導電性の金属板からなるＡＣ入力端子８が一対対向して配設されており、これらＡＣ入力端子８、８の他端側には銀等の金属チップ等からなる固定接点８ａ、８ａが固着されている。これら固定接点８ａ、８ａは、前記カバー７の上板部７ａの下面側に配置されてＡＣ入力端子８、８がＡＣインレット部７ｃに取り付けられている。
【００２６】
また、ＡＣアウトレット部７ｄには、同じく導電性の金属板からなる外部接続用ＡＣ出力端子９が一対対向して配設されている。これら外部接続用ＡＣ出力端子９、９の他端側には、略Ｌ字状の平坦部とこの平坦部に連接して下方へ直角に折り曲げられた中継端子９ａ、９ａが設けられている。これら中継端子９ａ、９ａは、前記カバー７の上板部７ａの下面側に配置されて外部接続用ＡＣ出力端子９、９がＡＣアウトレット部７ｄに取り付けられている。
【００２７】
また、前記カバー７の上板部７ａの下面側には、前記回転板５の基盤部５ａに設けられたクリックカム５ｅと摺動してクリック感を生起させる一対の駆動部材１０、１０が設けられており、この駆動部材１０、１０はコイルばね１１、１１によってカバー７の下方側に付勢された状態で配設されている。また、カバー７の外側板部には、下方へ延設する複数の係止片７ｅが設けられており、この係止片７ｅとケース１の複数の係合突起１ｄが係合されるものとなっている。
【００２８】
前記カバー７は、前記ケース１の収納部１ａの開口を覆うようにケース１の上面側に取り付けられるものとなっており、このケース１とカバー７とでスイッチ装置のハウジングを構成している。そして、この時、ケース１の収納部１ａ内に配設された導体板６の接点６ｅと、ＡＣ入力端子８の固定接点８ａが対向された状態で配設されると共に、導体板６の基部６ａと、外部接続用ＡＣ出力端子９の中継端子９ａとが電気的に導通した状態で圧接されて係合されるものとなっている。また、カバー７の上板部７ａの下面側に設けられた一対の駆動部材１０、１０の先端が、ケース１の収納部１ａに配設された回転体５の基盤部５ａの上面側に設けられたクリックカム５ｅと当接して、回転板５の回転時に互いに摺動することによりクリック感を生起させるものとなっている。
【００２９】
このように、前記回転板５の上面に駆動カム５ｃを設けると共に、前記回転板５の下面にはコードパターン４ｂを有する前記コード基板４が設けられており、前記駆動カム５ｃに前記導体板６を対向させて前記回転板５の上方に電源スイッチ部を配置すると共に、前記コード基板４に前記摺動子３を有する前記ウエハー２を対向させて前記回転板５の下方にエンコーダ部を配置するようにしたので、前記コード基板４のコードパターン４ｂを種々変更することにより、エンコーダ部のコード出力のバラエティー対応が可能となっている。また、バット接点構造に比べて摺動接点構造のため、スイッチ装置の薄型化、小型化が図れるものとなっている。
【００３０】
また、前記回転板５の上面に、前記駆動カム５ｃと並設して凹凸状の前記クリックカム５ｅを形成して、前記カバー７には、前記回転板５の回転に伴ってクリックカム５ｅと摺動してクリック感を生起する前記駆動部材１０を設けるようにしたので、簡単な構造で回転時のクリック感を得ることができるものとなっている。また、摺動接点構造を採用したことにより、バット接点構造に比べてコード切り換え時に接点開閉のための操作荷重の変化が生じなくなるので、操作時のフィーリングが良好となり、必要に応じてクリック感無しのスイッチ装置の対応が可能となっている。
【００３１】
次に、上記構成のスイッチ装置の動作を図３に基づいて説明する。
まず、回転体５の回転軸５ｂが非操作時の初期状態では、回転板５の上方に配設された導体板６の可動片部６ｂの下面側の駆動突起６ｄが、回転板５の駆動カム５ｃの一部に設けられた凹部５ｄに嵌入されており、可動片部６ｂの先端側の接点６ｅは、ＡＣ入力端子８に固着された固定接点８ａとは離間して電源スイッチ部の回路はオフ状態となっている（図示せず）。また、この時、回転体５の下方に配設されたコード基板４のコードパターン４ｂとウエハー２に設けられた摺動子３の接点部３ａとは非接触となっており、コードスイッチ部のコード出力はゼロとなっている。尚、この時、必要に応じて摺動子３の接点部３ａとコードパターン４ｂを接触させてコードスイッチ部のコード出力を得られるようにしても良い。
【００３２】
この状態から、図３に示すように、回転体５の回転軸５ｂが、図示しないセット側シャフトの回転を受けて回転操作されると、回転板５の回転に伴って、可動片部６ｂの下面側の駆動突起６ｄが、回転体５の駆動カム５ｃの上面に乗り上げることにより、可動片部６ｂが自身の持つ弾性力に抗して上方へ傾動され、接点６ｅが上方に対向して配設されているＡＣ入力端子８の固定接点８ａと接触して電源スイッチ部の回路がオン状態となる。
【００３３】
この場合、外部から入力されるＡＣ電源は、ＡＣインレット部７ｃに配設されたＡＣ入力端子８から入力され、導体板６とケース１の底面側に延出された内部基板接続用ＡＣ出力端子６ｃを介して図示しないセット側の内部基板の電源回路部に出力されるものとなる。また、同時にＡＣ電源は、カバー７の上面側にＡＣインレット部７ｃと並設して設けられたＡＣアウトレット部７ｄに配設された、外部接続用ＡＣ出力端子９に、導体板６と中継端子９ａを介して出力されるものとなっている。
【００３４】
そして、電源スイッチ部がオンした状態のまま、回転体５が所定の範囲で回転操作されると、今度は回転板５の下方に配設されたコード基板４のコードパターン４ｂと、ウエハー２に設けられた摺動子３の接点部３ａとが、適宜、接触と非接触を繰り返しながら面摺動することにより、回転板５の回転頻度に則したコード出力が得られるものとなる。この場合、検出したコード出力はケース１の底面側に延出されたコード出力端子３ｂを介して図示しないセット側の内部基板の制御回路部に出力されるものとなる。このコード出力信号を適宜選択してコード化することにより、セット側のシャフトの回転に合わせて予め設定された操作を行うようになっている。
【００３５】
上記した本発明のスイッチ装置は、ＡＣインレット部７ｃを有するハウジングの一部を構成するカバー７と、ハウジングの一部を構成するケース１内に回転可能に配設された回転板５と、この回転板５に設けられた駆動カム５ｃに連動してＡＣインレット部７ｃの接点の切り換えを行う電源スイッチ部と、前記回転板５の回転に伴ってコード出力を行うエンコーダ部とを備えている。
そして、電源スイッチ部は、前記ケース１内に配設され前記駆動カム５ｃにより可動片部６ｂが傾動される導体板６と、ＡＣインレット部７ｃに設けられたＡＣ入力端子８に固着され前記導体板６の接点６ｅと接離する固定接点８ａとから構成されており、エンコーダ部は、前記回転板５に設けられたコードパターン４ｂと、ケース１に収納されたウエハー２に設けられ、前記回転板５の回転により前記コードパターン４ｂと摺接する摺動子３から構成されている。
【００３６】
そして、上記構成のように、電源スイッチ部とエンコーダ部をハウジングに一体に収納したので、コード出力用のエンコーダ部を回転板５に設けられた摺動接点であるコードパターン４ｂと、このコードパターン４ｂと摺接する摺動子３で構成することにより、従来のバット接点構造のものに比べて異物や外部雰囲気の影響を少なくし接点信頼性が向上するものとなっている。また、摺動接点構造のため、操作時のフィーリングが良好となっている。
【図面の簡単な説明】
【００３７】
【図１】本発明のスイッチ装置を示す分解斜視図である。
【図２】本発明のスイッチ装置を示す組立斜視図である。
【図３】本発明のスイッチ装置の内部構造を示す要部断面図である。
【図４】従来のロータリー型のスイッチ装置の一部を破断した状態を示す要部斜視図である。
【符号の説明】
【００３８】
１：ケース（ハウジング）
１ａ：収納部
１ｂ：軸受孔
１ｃ：保持溝部
１ｄ：係合突起
１ｅ：端子穴
１ｆ：ガイド柱
２：ウエハー
２ａ：貫通孔
２ｂ：切欠部
３：摺動子
３ａ：接点部
３ｂ：コード出力端子
４：コード基板
４ａ：貫通孔
４ｂ：コードパターン
５：回転板
５ａ：基盤部
５ｂ：回転軸
５ｃ：駆動カム
５ｄ：凹部
５ｅ：クリックカム
６：導体板
６ａ：基部
６ｂ：可動片部
６ｃ：ＡＣ出力端子（内部基板接続用）
６ｄ：駆動突起
６ｅ：接点
７：カバー（ハウジング）
７ａ：上板部
７ｂ：軸孔
７ｃ：ＡＣインレット部
７ｄ：ＡＣアウトレット部
７ｅ：係止片
８：ＡＣ入力端子
８ａ：固定接点
９：ＡＣ出力端子（外部接続用）
９ａ：中継端子
１０：駆動部材
１１：コイルばね
【図１】
2006260840.tif 000003
【図２】
2006260840.tif 000004
【図３】
2006260840.tif 000005
【図４】
2006260840.tif 000006